(57)【特許請求の範囲】
【請求項１】
信号干渉除去を選択的に有効にする方法であって、
複数の信号パスを識別する段階と、
前記複数の信号パスの信号強度を判定する段階と、
第一のモードで干渉除去済信号流を、第二のモードで干渉除去されていない信号流を、複数の復調フィンガの各々へ選択的に供給する段階と
を備え、
前記干渉除去済信号流を供給する段階は、
前記複数の信号パスのうちで少なくとも第一の信号強度を有する第一の数の信号パスを、潜在的干渉因子として識別する段階と、
前記複数の信号パスの少なくとも１つから前記潜在的干渉因子の少なくとも１つを除去することにより、少なくとも第一の干渉除去済信号流を生成する段階と
を有する、方法。
【請求項２】
前記少なくとも第一の干渉除去済信号流を、少なくとも第一の信号プロセッサへ供給することにより、前記少なくとも第一の信号プロセッサに割り当てられた信号パスの信号対ノイズ比が改善されるかどうかを判定する段階と、
前記少なくとも第一の干渉除去済信号流が、前記少なくとも第一の信号プロセッサに割り当てられた前記信号パスの信号対ノイズ比を改善すると判定されることに応じて、前記少なくとも第一の干渉除去済信号流を前記少なくとも第一の信号プロセッサへ供給する段階と
を更に備える、請求項１に記載の方法。
【請求項３】
前記少なくとも第一の干渉除去済信号流を、少なくとも第一の信号プロセッサへ供給することにより、前記少なくとも第一の信号プロセッサに割り当てられた信号パスの信号対ノイズ比が改善されるかどうかを判定する段階と、
前記少なくとも第一の干渉除去済信号流が、前記少なくとも第一の信号プロセッサに割り当てられた前記信号パスの信号対ノイズ比を改善しないと判定されることに応じて、前記少なくとも第一の干渉除去済信号流を生成する段階を中止する段階と
を更に備える、請求項１に記載の方法。
【請求項４】
干渉除去されていない信号流を、前記少なくとも第一の信号プロセッサへ供給する段階を更に備える、請求項３に記載の方法。
【請求項５】
前記複数の信号パスが、割り当てられた信号パスのセットを含む、請求項１から４のいずれかに記載の方法。
【請求項６】
割り当てられた前記複数の信号パスのセットが復調パス・リストから得られる、請求項５に記載の方法。
【請求項７】
前記潜在的干渉因子を除去候補リストに記載する段階を更に備える、請求項１から６のいずれかに記載の方法。
【請求項８】
除去予定リストの中の信号パスを、前記除去候補リストの中の前記潜在的干渉因子の１つで置き換えることによって、前記除去予定リストを更新する段階を更に備え、
前記信号パスが、前記除去候補リストの中の前記潜在的干渉因子の１つ因子の信号強度よりも小さい信号強度を有する、請求項７に記載の方法。
【請求項９】
前記除去予定リストから信号パスをチャンネル判定リストへ入力することによって、前記チャンネル判定リストを更新する段階を更に備える、請求項８に記載の方法。
【請求項１０】
調査パス・リストを生成するために前記複数の信号パスの識別を格納する段階と、
干渉除去済信号流を探索エレメントへ供給する段階と、
前記調査パス・リストを更新する段階と
を更に備える、請求項１から９のいずれかに記載の方法。
【請求項１１】
調査パス・リストを生成するために前記複数の信号パスの識別を格納する段階と、
干渉除去済信号流を相関器エレメントへ供給する段階と、
前記調査パス・リストを更新する段階と
を更に備える、請求項１から９のいずれかに記載の方法。
【請求項１２】
前記少なくとも第一の干渉除去済信号の識別を格納する段階を更に備える、請求項１から１１のいずれかに記載の方法。
【請求項１３】
信号干渉除去を選択的に有効にする方法であって、
複数の信号パスを識別する段階と、
第一のモードで干渉除去済信号流を、第二のモードで干渉除去されていない信号流を、複数の復調フィンガの各々へ選択的に供給する段階と
を備え、
前記干渉除去済信号流を供給する段階は、
前記複数の信号パスの信号強度を判定し、前記複数の信号パスのうちで少なくとも第一の信号強度を有する第一の数の信号パスを、潜在的干渉因子として識別する段階と、
前記複数の信号パスの少なくとも１つから前記潜在的干渉因子の少なくとも１つを除去することにより、少なくとも第一の干渉除去済信号流を生成する段階と、
前記少なくとも第一の干渉除去済信号流を、少なくとも第一の信号プロセッサへ供給することにより、前記少なくとも第一の信号プロセッサに割り当てられた信号パスの信号対ノイズ比が改善されたかどうかを判定する段階と、
前記少なくとも第一の干渉除去済信号流が、前記少なくとも第一の信号プロセッサの信号対ノイズ比を改善すると判定されることに応じて、前記少なくとも第一の干渉除去済信号流を前記少なくとも第一の信号プロセッサへ供給する段階と
を有する、方法。
【請求項１４】
前記少なくとも第一の干渉除去済信号流が、前記少なくとも第一の信号プロセッサに割り当てられた前記信号パスの他の信号対ノイズ比を改善しないと判定されることに応じて、前記少なくとも第一の干渉除去済信号流を前記少なくとも第一の信号プロセッサへ供給することを中止する段階を更に備える、請求項１３に記載の方法。
【請求項１５】
複数の干渉信号パスを除去する装置であって、
複数の復調フィンガと、
第一のモードで干渉除去済信号流を、第二のモードで干渉除去されていない信号流を、前記複数の復調フィンガの各々へ選択的に供給する除去コントローラと
を備え、
前記除去コントローラは、
複数の信号パスのうちで少なくとも第一の信号強度を有する第一の数の信号パスを、干渉信号パスとして識別するチャンネル判定モジュールと、
前記複数の信号パスの少なくとも１つから前記干渉信号パスを除去することにより、前記干渉除去済信号流を生成する信号除去モジュールと
を有する、装置。
【請求項１６】
探索フィンガ
を更に備え、
前記除去コントローラは、前記探索フィンガへ前記干渉除去済信号流または干渉除去されていない前記信号流を選択的に供給する、請求項１５に記載の装置。
【請求項１７】
前記チャンネル判定モジュールは、前記干渉信号パスの少なくとも１つの複製を前記信号除去モジュールに供給する、請求項１５または１６に記載の装置。
【請求項１８】
前記複数の復調フィンガの数が、前記チャンネル判定モジュールの数より多い、請求項１５から１７のいずれかに記載の装置。
【請求項１９】
前記複数の復調フィンガは、前記第一の数の復調フィンガを有し、複数の前記チャンネル判定モジュールは、前記第一の数のチャンネル判定モジュールを有し、複数の前記信号除去モジュールは、前記第一の数の信号除去モジュールを有する、請求項１５から１８のいずれかに記載の装置。
【請求項２０】
前記複数の復調フィンガの各々は、経路設定モジュール及び復調モジュールを有する、請求項１５から１９のいずれかに記載の装置。
【発明の詳細な説明】
【技術分野】
【０００１】
本発明は、複数のスペクトル拡散システムにおける干渉除去の利用を対象とする。特に、本発明は、干渉除去の結果１つの改善された信号が得られた場合には干渉除去を使用又は継続できるように、干渉除去を選択的に利用することを対象とする。
【背景技術】
【０００２】
複数の無線通信システムは、それらに割り当てられた周波数スペースの中に、多数の安全な（又は秘密の）通信チャンネルを備えなければならない。これらの目標を達成するために、複数のスペクトル拡散システムが開発された。１つのスペクトル拡散タイプのシステムでは、多数のチャンネルを同一周波数範囲に収納できる複数の拡散コーディングが使われる。１つのチャンネルをうまく復調するためには、そのチャンネルと関連して使われる拡散コードが分からなければならない。１つの復調プロセッサが１つの特定な信号パスを経路設定しているとき、他の複数の送信器に連結している複数の信号パスは、そのプロセッサにとってはノイズに見える。
【発明の開示】
【発明が解決しようとする課題】
【０００３】
信頼できる通信技術を提供するために、複数のスペクトル拡散システムは、一般に、一組のエンドポイント間の１つの通信チャンネルを確立、維持するとともに、多数の信号パスの経路設定をする。他の複数の基地局及び複数の基地局セクタから供給される複数の余分な信号、又は複数の信号反射又はマルチパス・バージョンから、複数の違った信号パスが生じることがある。１つの代表的な受信器において、数個（例、４から６）の復調プロセッサ又はフィンガが備えられ、これらフィンガの各々に異なる１つの信号パスの経路設定が割り当てられる。１つの受信器が利用可能な異なった複数の信号パスに関する情報を得るために、１つの探索復調プロセッサ又はフィンガが備えられる。１つの代表的な受信器において、探索フィンガは、複数の擬似乱数（ＰＮ）コード・オフセットと信号強度とによって複数の信号を検知し、識別する。１つの復調プロセッサにとって、経路設定されている信号パス以外の複数の信号パスはノイズに見えるため、１つの経路設定されている又は所望の信号パスの信号対ノイズ比が低くなることがあり、１つの、劣悪な品質及び信頼性の通信チャンネルをもたらすことがある。特に、受信器に近い距離にある複数の発信源からの複数の信号が、受信器から遠方にある複数の発信源からの複数の信号を圧殺してしまうことがある。その結果、この「近−遠」問題のため信号ダイバーシチが限定される。複数の通信チャンネルを妨害に対して、さらに脆弱なままにしていることに加え、１つの受信器が利用できたかもしれない複数の相対的に弱い信号が、他の複数の相対的に強い信号が環境中に生成したノイズレベルの下に埋もれる。このように近−遠問題に起因して、遠距離信号源からの複数の信号の捕捉及び経路設定が制約を受け、三角測定方式に依存する複数の位置測定仕組みの効果性をも限定している。
【０００４】
近−遠問題に取り組むために、複数の発信源により生成された複数信号の電力を制御するための複数の仕組みが開発され、例えば、ビームステアリング及びスマート・アンテナ技術がある。しかしながら、このような複数の仕組みは複雑で実施が困難なことがある。さらに、数多くの受信器と交信している複数の基地局のような複数の発信源の場合、その中のあるものは複数の発信源に近く、他のものは発信源からはるか遠方にあり、信号電力の制限が実行できないことがある。
【０００５】
近−遠干渉を受ける複数の信号を複数の受信器が効果的に経路設定できるようにするもう１つの取り組みは、干渉除去を利用することであった。このような複数のシステムは、１つの復調フィンガ中に経路設定された信号パスと関係のない信号パスを除去する。しかしながら、このような複数のシステムは、このような除去のための柔軟性ある利用方式を備えてこなかった。１つの結果として、これまで適用されてきた従来の複数の干渉除去の仕組みでは、複数の所望信号パスの複数の信号対ノイズ比が、干渉除去を使わなかった場合よりも悪くなることがある。
【課題を解決するための手段】
【０００６】
本発明は、従来技術のこれらの及び他の複数の問題を解決することを対象とする。本発明に従って、複数の信号に対し干渉除去を選択的に利用するための１つの方法及び装置を提供する。例えば、本発明は、干渉除去が複数の所望信号パス強度の改善をもたらす場合においてだけ、その除去を使用する。また、本発明の複数の実施形態は、それ以外の複数の干渉除去のスキーム、又は干渉除去のない信号だけを複数の復調プロセッサ又はフィンガへ供給するという１つの処理、よりも望ましいと判定される１つの干渉排除のスキームを選択できるようにする。
【０００７】
本発明の複数の実施形態において、いくつか複数の信号パス、又は１つの受信器において識別された複数の信号の各々の強度が判定され、他の複数の信号パスよりも強度が大きく、より大きな干渉量に寄与している１つ以上の信号パスが識別、判定される。本発明のさらなる実施形態において、必ずしも最強ではないが、別の信号に悪影響を与えている複数の信号パスが識別される。除去が検討されている１つの信号パスの１つのエスチメイトを１つの信号除去モジュールに提供することにより、１つの受信器内の複数の信号流（すなわち、未処理の又は干渉除去済複数の受信流）から、１つの高い強度を持つ、又は他の信号パス又は複数パスに悪影響を与えるとして識別された複数の信号パスの除去が開始される。１つのチャンネル判定モジュールが、信号除去モジュールのために信号パスの１つのエスチメイトを作成することができる。信号除去モジュールは、その強い潜在的干渉信号のエスチメイトを、それ以外の信号流又は複数の信号流から（すなわち、除去される信号パス以外の複数の信号パスの経路設定を割り当てられた複数の復調フィンガへ供給することができる１つ以上の信号流から）除去する。そこで、除去コントローラが、潜在的干渉因子が除去済１つ以上の信号流から得られた信号パス又は複数の信号パスの複数の信号対ノイズ比が向上したかどうかを判定する。
【０００８】
１つの所望信号パスの信号対ノイズ比の１つの増加が検知されると、その潜在的干渉因子は１つの実際の干渉因子として識別され、所望の信号流の干渉除去バージョンを、その所望の信号パスに割り当てられた復調フィンガへ供給することができる。１つの所望の信号パスの信号対ノイズ比の１つの改善が検知されない場合、その干渉除去済信号流は、所望の信号パスに割り当てられた１つの復調フィンガには供給されないことになる。本発明の別の実施形態において、干渉除去済信号流によって、所望の信号の１つの強度が少なくとも１つの閾値量まで増大する可能性が高いと判定されないかぎり、１つの干渉除去済信号流は、１つの所望信号パスに割り当てられた１つの復調フィンガには供給されない。本発明の複数の実施形態において、復調フィンガへの種々の干渉除去済信号供給の効果解析は、未処理信号流又は１つの干渉除去済信号流のいずれが、１つの所望信号パスに関し、より大きな信号強度を備えているかを識別することによって進めることができる。これを、１つの受信器が備える１つの復調フィンガに割り当てられた各信号パスに対して実施できる。本発明の別の実施形態において、様々な方法を使って信号除去を達成することができる。例えば、潜在的干渉因子又は識別された干渉因子の１つの複製を未処理信号流から差し引くことができる。本発明の別の実施形態において、複数の潜在的干渉因子又は識別された干渉因子を除去するため複数の射影ベースの方法を使った複数のシリアル除去技法を使うことができる。本発明のさらなる他の実施形態において、複数の潜在的干渉因子及び識別された干渉因子の並行除去を利用できる。
【発明を実施するための最良の形態】
【０００９】
図１を参照すると、１つの基本構成すなわち従来技術のスペクトル拡散通信受信器１００が図解されている。図１に示すように、複数の信号が１つのアンテナ１０８によって１つの無線周波数フロントエンド１０４へ供給される。一般的な１つの環境においては、いくつかの異なる信号、例えば、様々な基地局、１つの基地局の様々なセクタが発信する複数の信号、又はそれら信号の反射やマルチパスによる複数のバージョンを、無線周波数フロントエンド１０４で受信することができる。当業者にとっては当然のことであるが、様々な基地局又は１つの基地局の様々なセクタからの信号は、一般的には、対応するパス番号によって識別され、これは、信号パスのタイムオフセットに従って基地局又は基地局とセクタとを識別する。複数の信号の複数のマルチパス・バージョンは、信号のサイト・バージョンのラインの数、プラス、反射信号を伴うより長いパスからくる１つの付加的なタイムオフセットによって識別される。当業者にとってはさらに当然のことであるが、複数の異なった信号源からの複数の信号パスは、一般的には、複数の信号の複数のマルチパス・バージョンの発信源を、そのような複数の信号パスの信号源として正しく識別できるように、十分な距離（例、６４のチップ）によって分離される。
【００１０】
受信器１００によって収集され、ＲＦフロントエンド１０４によってより低い周波数へ変換された処理前の信号流１１２は、１つの探索フィンガ１１６へ供給される。探索フィンガは、個別に識別可能な複数の信号パス及び／又は複数のマルチパスについて、信号流１１２をスキャンする働きをする。具体的には、探索フィンガ１１６は、パス番号、すなわち、各々の識別可能な信号パスに対応する擬似乱数（ＰＮ）コード・オフセットを判定する。上記のように、ＰＮコードは、その信号パスを１つの特定の基地局又は基地テーションセクタと関連付けて識別する。複数の符号分割多元接続（ＣＤＭＡ）システムでは、ＰＮコード・シーケンスはショートコードといわれる。
【００１１】
探索フィンガ１１６は、識別した複数の信号パスをコントローラ１２０に報告する。コントローラに提供された情報を調査パス・リストに収納することができる。一般に、調査パス・リストは、探索フィンガ１１６が観測できる上記の信号パスを、複数のＰＮオフセットによって識別する。この代わりに、少なくとも１つのノイズ比又は強度の閾値高さを持つ複数の信号パスに対する複数のＰＮオフセットを調査パス・リストに含めてもよい。
【００１２】
コントローラ１２０は、複数の信号パスの識別内容を調査パス・リストに報告する。調査パス・リストから、コントローラ１２０は、調査パス・リスト中の１つ以上の信号パスを捕捉し、経路設定することを決めることができる。一般に、１つの受信器１００が経路設定対象にできる信号パスの数は、受信器１００の一部として備えられている復調フィンガ１２４の数により限定される。復調及び経路設定のため受信器１００に割り当てられた複数の信号パスを、１つの復調パス・リストとして備えることができる。標準的な通信システムでは、復調パス・リストは、各復調フィンガ１２４に対する１つの識別記号、各復調フィンガ１２４に割り当てられた信号パスの１つの識別記号、いっさいの付加的タイムオフセット、観測された信号の強度及び信号パスのセクタを含む。
【００１３】
複数の復調フィンガ１２４は、無線周波数フロントエンド１０４から、１つのフィード信号として未処理信号流１１２を受信し、各フィンガ１２４は、復調パス・リストの指定にそって、自分に割り当てられた信号パスを捕捉する。復調された信号流は、次に１つの符号合成器１３２へ供給され、これが、復調フィンガ１２４から供給された複数の復調信号流１２８を合成する。例えば、符号合成器１３２と復調フィンガ１２４とは、集合的に１つのレイク受信方式を構成する。図１に示された受信器１００は、第一１２４ａ及び第二１２４ｂ復調フィンガ、ならびに、対応する第一１２８ａ及び第二１２８ｂ復調済み信号を図解しているが、いろいろな数の復調フィンガ１２４を備えた複数の受信器１００が開発されている。例えば、市販されている複数のＣＤＭＡ電話は、普通、４から６個の復調フィンガ１２４を有する。
【００１４】
図１中に図解された従来技術の受信器１００は、１つの干渉除去済信号流を復調フィンガ１２４へ供給するための１つの干渉除去器を含んでいない。干渉除去を備える複数の受信器１００が開発されている。しかしながら、そのような複数のシステムは干渉除去の選択的利用を備えていない。その結果、そのような複数のシステムは、このような除去が、実際に複数の所望信号パスの複数の信号強度の複数の改善をもたらすかどうかに関係なく信号除去を用いていた。そのため、このような複数のシステムは、実際には、観測された複数の所望信号パスの信号強度を低下させることがある。
【００１５】
図２を参照すると、本発明の１つの実施形態において、除去制御を行う１つの受信器２００が図解されている。一般に、受信器２００は干渉除去の選択的利用を提供する。例えば、本発明に従った１つの受信器２００は、１つの干渉除去済信号流が、受信器２００中の１つの所望の信号パスの観察された強度が向上するかどうかを判定することができる。さらに、このような判定を、１つの干渉除去済信号流を１つの復調フィンガへ供給する前に行うことができる。加えて、受信器２００は、今まで選定されていた１つの干渉除去済信号流が、１つの所望信号パスに対する１つの信号対ノイズ比の改善を示さなくなってしまったと判定される場合には、これと異なる１つの干渉除去済信号流、又は、単一の干渉除去されていない信号流を供給することができる。
【００１６】
一般に、受信器２００は、１つの無線周波数（ＲＦ）フロントエンド２０４、及び対応するアンテナ２０８を含む。ＲＦフロントエンド２０４及びアンテナ２０８によって収集された未処理信号流２１２は、１つの探索フィンガ２１６へ供給される。探索フィンガ２１６は、未処理信号流２１２の中にある複数の信号を探索する働きができる。このとき、探索フィンガが発見した複数の信号パスの識別内容を１つの主コントローラ２２０に報告することができる。特に、探索フィンガ２１６が発見した信号パスに関する情報を１つの調査パス・リストを作成するために使うことができる。主コントローラ２２０は、調査パス・リスト中に識別された複数の信号パスのすべて又は１つの選定されたセットの経路を設定をすることを受信器２００に割り当てる。受信器２００中の複数の復調フィンガ２２４が捕捉し、経路設定することになる複数の信号パスの割り当てを、１つの復調パス・リストと対比して実施することができる。図２の中では、２つの復調フィンガ２２４ａ及び２２４ｂだけが示されている。しかしながら、どのような数の追加復調フィンガ２２４を備えることも可能であることをよく理解すべきである。
【００１７】
図２に示すように、主コントローラ２２０は１つの除去コントローラ２２８と交信することができる。除去コントローラ２２８は、本発明独特のものである。後記でさらなる詳細を示すように、一般に、除去コントローラ２２８は、複数の干渉除去済信号の生成と選定とを制御する。この選定プロセスの一部として、干渉除去コントローラ２２８は、受信器２００に利用可能な複数の干渉除去済信号流が、１つの所望信号パスの信号対ノイズ比の向上をもたらさないことを判定する能力があり、したがって、未処理信号流２１２を、１つのフィード信号流として、すべての又は一部の複数復調フィンガ２２４へ供給、送信することができる。
【００１８】
図２に示すように、除去コントローラ２２８は、１つ以上のチャンネル判定モジュール２３２及び１つ以上の信号除去モジュール２３６を含むことができる。一般に、複数のチャンネル判定モジュール２３２は、除去コントローラ２２８が複数の潜在的あるいは実際の干渉信号パスとして識別した複数の信号パスの複数の複製を生成する働きをする。複数の信号除去モジュール２３６は、複数の複製信号パスを受信し、そのような複数の信号を未処理信号流２１２から排除するための除去作業を実施する。また、複数の信号除去モジュール２３６中に生成された複数の干渉除去済信号流が、改善された強度を持つ１つの所望信号パスをもたらすかどうかを判定するため、除去コントローラに１つ以上の相関器２３８を含めることができる。
【００１９】
未処理の（又は元の）信号流又は１つの干渉除去済信号流を、復調フィンガ２２４へ供給するために、除去コントローラ２２８と、対応する復調フィンガ２２４ａ及び２２４ｂとの間に信号流を伝送するための１つの信号ライン２４４ａ及び２４４ｂが設けられる。さらに、各復調フィンガ２２４に連結されたＰＮ発生器２４６による複数のＰＮコードの遅延や進みを制御するために、除去コントローラ２２８と復調フィンガ２２４との間に複数の制御信号パス２４０が設けられる。複数の復調フィンガ２２４に連結された複数のＰＮ発生器２４６を遅延させたり進めたりできることには利点がある、というのは、これによって、たとえフィード信号流２４４が、例えば除去コントローラ２２８の中の処理過程で遅延させられるようなことがあっても、各復調フィンガ２２４が、供給されるフィード信号流２４４をそれぞれ経路設定できるようになるからである。また、除去コントローラ２２８は、１つの遅延バッファ２５２に、１つの復調信号遅延制御信号２４８を提供し、供給された信号流２４４から得られる１つの符号を１つの符号合成器２６０が使えるようになる前に、各復調フィンガ２２４が取り入れる１つの遅延量を制御する。このように復調フィンガ２２４内の遅延を制御することによって、除去コントローラ２２８は、複数の復調信号流２５６を同期させることができる。これによって、１つの従来型の符号合成器２６０を使用することができる。これに換えて、複数の復調フィンガ２２４による複数の信号流２４４の処理から得られた複数の符号を同期化する能力のある１つの符号合成器２６０を使用してもよく、この場合には複数の遅延バッファ２５２及び複数の連結信号線を削除することができよう。さらに別の代替案では、除去コントローラ２２８は、１つの従来型合成器２６０が使えるように、ＲＦフロントエンド２０４で受信されたままの未処理信号流２１２に対して１つの一定の遅延処理の後、複数の復調フィンガ２２４に複数のフィード信号流を供給することができる。
【００２０】
本発明の１つの実施形態において、受信器２００は、除去コントローラ２２８から探索フィンガ２１６に１つの干渉除去済信号流を配信することのできる１つの干渉除去信号接続２６４を備えることもできる。このような１つの実施形態は、探索フィンガ２１６が、利用可能な複数の信号パスに対する、未処理信号流２１２の複数の干渉除去バージョンをスキャンすることができるようにする。これによって、探索フィンガ２１６は、未処理信号流２１２中のノイズレベルの下に埋もれていたかもしれない複数の信号パスを、１つの干渉除去済信号流の中で検知することができる。その結果、受信器２００は、複数の内蔵復調フィンガ２２４が捕捉し、経路設定するための、より多くの数の信号パスを利用でき、このことで、１つの通信チャンネルの信頼性と品質とを向上させることができる。加えて、別の複数の基地局から発信された複数の信号パスを受信器２００が検出できるようにすることで、異なる複数の信号源と受信器２００との間での三角測定技法を使う測位技術は、より正確な位置測定を提供できる。
【００２１】
探索フィンガ２１６が、複数の干渉除去済信号流をスキャンできるよう設定された１つの実施形態に関して、除去コントローラ２２８は、ＰＮコード遅延情報を探索フィンガ２１６に提供する働きをすることができる。このような情報は、たとえ干渉除去済信号流を生成するプロセスで、複数のフィード信号流が遅延させられるようなことになろうとも、探索フィンガ２１６が正確に複数の信号パスのＰＮを識別できるようにする。
【００２２】
図３を参照すると、本発明の１つの実施形態における受信器２００内の複数の信号の流れが図解されている。図３に示すように、受信器２００を通る複数の信号の流れは、未処理のデータ信号流２１２の受信から始まる。未処理信号流は探索フィンガ２１６へ供給され、復調フィンガ２２４にも供給される。復調フィンガ２２４は、各々、１つの復調された信号流３０４を生成する。図３中には、３つの復調された信号３０４ａ、３０４ｂ及び３０４ｎが図示されている。従って、図３は、少なくとも３つの復調フィンガ２２４を有する受信器２００に対応していることになろう。当業者にとっては当然のことであるが、図中の３つの復調信号流３０４は、代表例である。具体的には、受信器２００は、妥当な数の復調フィンガ２２４が設けられているならば、より多い又はより少ない数の復調信号流を生成することができる。
【００２３】
復調された複数の信号流３０４は、除去コントローラ２２８の複数のチャンネル判定モジール２３２へ供給される。後記でさらなる詳細を示すように、複数のチャンネル判定モジュール２３２は、複数の潜在的干渉信号３０８の複数のエスチメイトを生成する。図３には、３０８ａ、３０８ｂ及び３０８ｎが示されている。したがって、図３に示されたデータ流れを生成する１つの実施形態は、３つのチャンネル判定モジュール２３２を有したかもしれない。しかしながら、チャンネル判定モジュール２３２の数は、受信器２００が備える復調フィンガ２２４の数と一致する必要はないことをよく理解すべきである。
【００２４】
複数の潜在的干渉信号パス３０８の複数のエスチメイトは、除去コントローラ２２８の複数の信号除去モジュール２３６に提供される。複数の信号除去モジュールは、複数の復調フィンガ２２４へ供給される１つ以上のフィード信号流から複数の干渉信号パスを排除する。例えば、第一復調信号パス３０４ａのエスチメイト３０８ａを、第二信号パスの経路設定を割り当てられた復調フィンガ２２４へ及び／又は第ｎ番の信号パスの経路設定を割り当てられた復調フィンガ２２４へ供給されることになる信号流から除去することができる。第一及び第二の所望信号パスの経路設定を割り当てられた複数の復調フィンガ２２４へ供給される複数の信号流のいずれか又は両方から除去することができる。同様にして、第二干渉信号パス３０８ｂのエスチメイトを、第一及び第ｎ信号パスの経路設定を割り当てられた復調フィンガ２２４へ供給される信号流のいずれか又は両方から除去することができる。そこで除去コントローラ２２８は、割り当てられた複数の信号パスについて、干渉除去済信号パス３１２ａ−ｎの強度を点検する。１つの干渉除去済信号パスにおいて、例えば１つの観測された信号対ノイズ比で代表されるような強度、が増大したと判定される場合には、その干渉除去済信号流を割り当てられた復調フィンガへ供給することができる。１つの所望信号パスの強度が、１つの干渉除去済入力信号流の使用によって増加しなかったと判定される場合には、検討中の干渉除去済信号流３１２は、検討中の信号パスの経路設定を割り当てられた復調フィンガ２２４には送信されない。その代わりに、未処理信号流２１２、もしくは１つの異なる信号又は信号のセットが除去済１つの干渉除去信号流３１２の１つの以前のバージョンのような、別の信号流をフィード信号流として復調フィンガ２２４へ供給することができる。
【００２５】
図４を参照すると、本発明の１つの実施形態において、様々なリスト又は表及びそれらと複数の機能要素との関係を示した、受信器２００を通る複数の信号流の流れが図解されている。最初に、１つの未処理信号流２１２が１つのフィード信号流として探索フィンガ２１６へ供給される。探索フィンガは未処理データ信号流２１２をスキャンし、受信器２００が利用できる信号パスを発見し、識別する。図４に示すように、本発明のいくつかの実施形態にしたがって、１つの干渉除去済信号流２６４を、未処理データ信号流２１２に加えて、又はこれに換えて供給することができる。前記のように、探索フィンガ２１６は、利用できる複数の信号パスを識別する情報を主コントローラ２２０に提供する。主コントローラ２２０は、探索フィンガ２１６から提供された情報を用いて１つの調査パス・リスト４０４を作成する。調査パス・リストは、一般に、探索フィンガ２１６が発見した複数の信号の複数のＰＮオフセットを含む。主コントローラ２２０は、調査パス・リストからの情報を使って、受信器２００が、使用する複数のフィンガ中に経路設定する複数の信号パスを割り当てる。これらの割当ては、復調パス・リスト４１２に記録される。これにより、復調パス・リスト４１２は、受信器２００中の利用可能な複数のフィンガ、各フィンガに割り当てられた信号パス、いっさいのタイムオフセット、各信号パスの信号強度、及び信号パスのセクタを識別できる。そこで、除去コントローラ２２８が復調パス・リスト４１２を利用できるようになる。
【００２６】
除去コントローラ２２８は復調パス・リスト４１２の中に複数の干渉信号が存在するか点検する。例えば、本発明の１つの実施形態において、除去コントローラ２２８は、１つの復調フィンガ２２４が経路設定している複数の信号パスについて、それらが復調パス・リスト４１２に記載されており、前もって定められた閾値より大きな信号強度を持つことを点検する。信号パスの強度は信号パスの信号対ノイズ比、又は信号パスの選定された要素又はチャンネルを測定することによって判定することができる。例えば、本発明の１つの実施形態において、１つの基地局から送信されるパイロット・チャンネル信号を測定して、複数の信号パスの強度を判定することができる。本発明の別の実施形態において、トラヒック・チャンネルのいくつか又はすべて、パイロット・チャンネル、ページング・チャンネル、及び／又は同期化チャンネルを使って信号パス強度を判定することができる。当業者にとっては当然のことであるが、１つの信号パス内のすべて又は相当数のチャンネル又は信号を測定すれば、さらに高い精度の１つの信号パスの強度測定が実現できる。しかしながら、１つの信号パス内の多数のチャンネル及び／又は信号を監視するのは、計算を超えた高コストとなる。したがって、本発明の複数の実施形態は、１つの信号パス内の比較的少数のチャンネル又は信号を監視することができる。例えば、パイロット信号の強度だけを測定して対応する信号パスの強度を判定することができる。例えば、信号強度の推定値は、Ｅｃ／Ｉｏで求めることができ、ここでＥｃはチップあたりのエネルギー、Ｉｏはシステム中の合計電力又は干渉であり、これを、信号パスの信号強度推定するための１つの信号対ノイズ比値を得るために使うことができる。
【００２７】
１つの潜在的干渉信号パスについての基準を満たす複数の信号パスが、１つの除去候補リスト又は表４１６の中に識別される。図１２を参照すると、１つの典型的な除去候補リスト４１６の要素が図示されている。図１２に示すように、除去候補リスト４１６は、複数の復調フィンガ２２４、各復調フィンガ２２４に割り当てられた複数の信号パス１２０４、信号パスの信号強度１２０８、及び信号パスのセクタ１２１２、を識別するための入力欄を含むことができる。当業者にとっては当然のことであるが、各信号パスは、１つの異なるＰＮコード・オフセット又は１つのＰＮコード・オフセットのマルチパス・バージョンを含むか、又はこれを参照することができる。
【００２８】
除去候補リスト４２０に含まれる複数の最大強度の信号パスが、１つの除去予定リスト又は表４２０に割り当てられる。図１３に示すように、本発明の１つの実施形態において、除去予定リスト４２０は、最大ｎの複数信号パスを包含し、ｎは、除去コントローラ２２８が具備するチャンネル判定モジュール２３２の数に対応する。したがって、潜在的干渉信号の数がチャンネル判定モジュール２３２の数を上回る場合には、除去予定リスト４１６に、ｎの最も高い強度の複数の潜在的干渉信号パスを含めることができる。図１３を参照すると、本発明の１つの実施形態における１つの除去予定リストの複数の内容が図示されている。一般に、除去予定リスト４２０は、１つの復調フィンガ２２４及び対応する１つの信号パス１３０４のための１つの入力欄を含む。特に、除去予定リスト４２０は、除去されることになる複数の信号パスを識別する。
【００２９】
図４を引き続き参照しながら説明する。除去予定リスト４２０に含まれる情報を使って、除去コントローラ２２８は、複数のチャンネル判定モジュール２３２を作動し、１つ以上の復調フィンガ２２４から、１つ又は複数の適切なチャンネル判定モジュール２３２に出力を供給する。オプションとして、複数の復調フィンガ２２４から複数のチャンネル判定モジュール２３２への出力の複数の組み合わせに関する情報を、１つのチャンネル判定リスト又は表４２４に保持することができ、これには、一般に除去予定リスト４２０と同じ情報が含まれる。適切な複数の信号流を複数のチャンネル判定モジュール２３２へ供給することにより、複数の信号除去モジュール２３６の出力として、複数の干渉除去済信号流が得られる。除去コントローラは、受信器２００の中で、１つの復調フィンガ２２４への、又は除去コントローラ２２８の一部として設けられた１つの相関器２３８への１つのフィード信号流として供給されることになる、１つの信号除去モジュール２３６から得られる１つの出力、又は１つの未処理信号流を選定するため、マルチプレクサ４２８をさらに使用又は制御することができる。そこで除去コントローラ２２８は、複数の復調フィンガ２２４の一部又は全部又は複数の相関器２３８へ供給される複数の干渉除去済信号流が、１つの改善された所望信号強度をもたらしたかどうかを判定する。
【００３０】
本発明の１つの実施形態において、この判定は、複数の所望信号パスと、対応する復調フィンガ２２４へ供給される未処理信号流２１２及び干渉除去済信号流との相関を見ることで行われる。除去コントローラ２２８が使用する相関器は、相関器２３８の１つの列をさらに含むことができる。本発明の１つの実施形態において、１つの相関器２３８は、１つのベクトル内積又は相関作用を実行することにより動作する：ｘＴｙ、ここでｘは１つのパイロット信号のような基準信号、Ｔは転置作用、及びｙは１つのフィード信号流である。したがって、１つの干渉除去済信号ｙ１の使用が１つの改善された信号強度をもたらすかどうかは、ｘＴｙ１とｘＴｙ未処理とを比較して判定できる。ここでｙ未処理は干渉除去をされていない１つの信号流である。基準信号ｘを単に１及び−１の数列だけで構成できる、例、ショートコードすなわちＰＮシーケンス。この基準信号を、情報を搬送していないチャンネルであるパイロット・チャンネルの１つの複製で構成することができる。ＰＮシーケンスが分かっているので、ベクトル内積の結果を使って、受信信号流とＰＮシーケンスとの間の相関の強さを判定することができる。さらに別の例としては、ｘの干渉除去済１つのバージョン及びｙ未処理に関連して信号除去を実施することができよう。本発明のさらに別の実施形態において、１つの相関作用に換えて、１つの参照テーブルを使うことができる。具体的には、１つの干渉除去済信号流の使用又は１つの干渉除去なしの信号の使用のいずれが望ましいかを予測するために、１つの未処理信号パス及び１つの干渉除去済信号パスの複数の相対的信号対ノイズ比に関する情報を使って、１つの参照テーブルに格納されている以前に計算した複数の値を参照することができる。
【００３１】
干渉除去により、１つの所望信号パスについて複数の改善された信号強度が得られたこれらの信号パスは、１つの除去済パス・リスト又は表４３２（図４）に記入される。図１４に、本発明の１つの実施形態における１つの除去済パス・リスト４３２の複数の内容を示す。図１４に示すように、除去済パス・リスト４３２は、１つの復調フィンガ２２４へ供給される１つの信号流から除去済複数の信号パスを提示することができる。そこで、除去済パス・リスト４３２は、復調パス・リスト４１２と対比される。
【００３２】
１つの信号パスが復調パス・リスト４１２及び除去済パス・リスト４３２の双方に存在する場合、１つの除去済信号フィード・リスト又は表４３６は更新されて、１つ以上の復調フィンガ２２４への入力が、１つの未処理信号流でなく１つの干渉除去済信号流を含むことを提示する。図１５を参照すると、本発明の１つの実施形態における、１つの除去済信号フィード・リスト４３６が示されている。図１５に示すように、除去済信号フィード・リストは、複数の復調フィンガ２２４の１つのリストを包含する。除去済信号フィード・リスト４３６中の各復調フィンガ２２４に対し、１つの信号除去モジュール２３６及び除去済信号パス１５０４の識別を表示することができる。１つの復調フィンガ２２４が、干渉除去済信号流を受信するフィンガとして除去済信号フィード・リスト４３６に記載されていない場合には、そのフィンガには未処理信号流２１２が供給される。
【００３３】
図５を参照すると、本発明の１つの実施形態において１つのチャンネル判定サイクルが図解されている。最初に、ステップ５００において、１つの復調パス・リスト４１２が作成又は変更される。ステップ５０４において復調パス・リストが読み取られ、ステップ５０８において、複数の強い潜在的干渉因子が識別される。次に、ステップ５１２において、干渉除去済複数の信号流が生成される。具体的には、１つ以上の強い潜在的干渉信号パスが排除された複数の信号流が生成される。
【００３４】
ステップ５１６において、干渉除去済複数の信号流は基準信号と相関され、未処理データ信号２１２と基準信号との相関が計算される。そこで、１つの対応する相関器２３８の出力の中の１つの所望信号の信号対ノイズ比（すなわち強度）が向上したかどうかについて１つの判定が行われる（ステップ５２０）。所望の信号の強度が改善していたならば、入力信号流の干渉除去バージョンは、受信器２００が携わる通信処理に関する使用のため復調フィンガ２２４へ供給される（ステップ５２４）。フィンガ２２４からの信号パスの強度が改善しなかった場合には、その干渉除去済バージョンの信号流はフィンガ２２４へ供給されない。その代わりに、未処理信号流がフィンガ２２４へ供給される。
【００３５】
ステップ５２８において、さらなる検討対象信号流があるかどうか１つの判定が行われる。検討対象信号流が残っていれば、次の信号が取得され（ステップ５３２）、システムはステップ５２０に戻る。このようなやり方で、１つの受信器２００中の各復調フィンガ２２４に対する１つの干渉除去済信号流供給の効果が評価される。検討対象信号流がもう残っていなければ、チャンネル判定サイクルは終了する（ステップ５３６）。当業者にとっては当然のことであるが、次回に、複数の復調フィンガ２２４が経路設定する複数の信号パスを変更するとき、チャンネル判定サイクルを再度開始することができる。例えば、復調パス・リスト４１２が作成又は変更されたときに、チャンネル判定サイクルを再度開始することができる。
【００３６】
図６を参照すると、本発明の１つの実施形態における１つの受信器２００の動作が、さらに詳細に図解されている。図６に示すように、ステップ６００において、複数の復調フィンガ２２４及び各フィンガに割り当てられた信号パスを記載した復調パス・リストが取得される。ステップ６０４において、複数の潜在的干渉因子である複数の信号パスが識別される。例えば、本発明の１つの実施形態において、前もって定めた１つの閾値を越える信号強度を持つ複数の信号パスが識別される。識別された複数の潜在的干渉信号パスは、次に除去候補リスト４１６に格納される（ステップ６０８）。除去候補リストから、ｎまでの信号パスが除去予定リスト４２０に割り当てられる（ステップ６１２）。
【００３７】
ステップ６１６において、各復調フィンガ２２４からの出力は、１つの対応するチャンネル判定モジュール２３２に接続され、複数の干渉信号パスの複数のエスチメイトが生成される。本発明の１つの実施形態において、干渉信号パスのエスチメイトは、その信号パスの１つの複製を含み、信号除去モジュール２３６が実行する信号除去では、減算除去が使われる。本発明の別の実施形態において、１つの干渉信号パスのエスチメイトは、その全体開示を参考として本明細書に組み込んだ、２００２年９月２０日出願の米国特許出願第１０／２４７，８３６号に記載された１つのシリアル除去干渉除去設計に使われている、又は、これも全体開示を参考として本明細書に組み込んだ、２００３年２月６日出願の米国特許出願第６０／４４５，２４３号に記載された１つの並行型信号除去処理に使われている、２００２年１１月１５日出願の米国特許出願第１０／２９４，８３４号記載の１つのベクトル又はマトリックスとして表現され、これにおいては、干渉を除去するために、１つの干渉信号パスの１つの非正射影が作成される。別の実施形態において、このような非正射影技法に加え、又はその１つの代替として、正射影技法を使用することができる。一般に、本発明の実施形態に関連して提供された選択プロセスと関連付けて、どのような妥当なノイズ又は信号除去技をも使うことができる。本発明の１つの実施形態において、干渉除去対象の信号パス中に存在する１つ以上のウォルシュコード・チャンネルを監視することによって、干渉信号の複製が生成される。これにより、１つの複製信号を作成するためには、１つの干渉信号パスとして識別された１つの信号パス、したがって他の複数の信号流から除去されることになる１つの信号パスを、少なくとも１つの復調フィンガ２２４内に経路設定しなければならない。さらに、除去されることになる信号パスを複数の復調フィンガ２２４の１つの中に経路設定することにより、定期的に相関を実施して、その信号の電力及びそれが寄与する干渉量を判定することができる。
【００３８】
ステップ６２０において、複数の信号除去モジュール２３６は、チャンネル判定モジュール２３２からの複数のエスチメイトを使って１つのフィード信号流から干渉信号パスを除去する。そこで、除去コントローラ２２８は、得られた複数の信号パスの強度を点検し、増大した強度を持つ複数の信号パスを、除去済パス・リスト４３２に加える（図４参照）。当業者にとっては当然のことであるが、一より多い干渉除去済信号流は、１つの信号パスに１つの利点を提供することができ、この場合、１つの利点を提供する一より多い信号流の間で１つの選択をしなければならない。様々な信号流の供給の推定効果を相対評価することで、このような選択ができる。そこで、監視された信号パスの新しい信号強度を反映して、調査パス・リスト４０４が更新される。これにより、１つ以上の信号パスの受入れに関し、異なるいくつかの干渉除去済信号流、及び未処理信号流を評価することができる。
【００３９】
ステップ６２８において、復調パス・リスト４１２が更新されたかどうかについて１つの判定が行われる。新しい複数のパスが割り当てられている場合には、復調パス・リスト４１２は更新される（ステップ６３２）。新しい複数のパスが復調パス・リスト４１２に割り当てられていない場合、又は復調パス・リスト４１２が更新された後は、除去済パス・リスト４３２と復調パス・リスト４１２とが対比され、その信号パスが両方のリストに存在する場合には、妥当な干渉除去済信号流が、対応するフィンガ４２４に送られる（ステップ６３６）。すなわち、１つの信号パスが両方のリストに存在する場合には、それは１つの復調フィンガによって経路設定されており、したがって、その信号パスのエスチメイトを作成することができ、その信号パスが、受信器２００内に経路設定されている少なくとも他の１つの信号に対する１つの干渉信号パスとなることが識別されている。そこで、除去済信号フィード・リスト４３６（図４参照）は更新され、復調フィンガ２２４に対する複数の干渉除去済信号流の割当てを提示する（ステップ６４０）。
【００４０】
図７を参照すると、本発明の１つの実施形態において、除去予定リスト４２０を更新するための１つのプロセスが図解されている。最初に、ステップ７００において、除去コントローラ２２８が除去予定リスト４２０の１つの点検を開始する。ステップ７０４において、１つのカウント値ｐは、除去予定リスト４２０中の第１要素（１つの所望信号パスに対応）と等しく設定される。次に、要素ｐが除去候補リスト４１６中に記載されているかどうかが判定される（ステップ７０８）。
【００４１】
ｐが除去候補リスト４１６中に記載されている場合には、除去予定リスト４２０中のパスｐの信号強度が更新され、要素ｐは除去候補リスト４１６から取り除かれる（ステップ７１２）。次に除去予定リスト４２０中に、検討対象となるさらなるパスがあるかどうか１つの判定がされる（ステップ７１６）。除去予定リスト４１６中にさらなるパスがある場合には、ｐは、除去予定リスト４１６中の次の要素と等しく設定される（ステップ７２０）。それ以上のパスが除去予定リスト４１６中にない場合、除去リスト４１６の更新プロセスは終了する（ステップ７２４）。
【００４２】
ステップ７０８において、除去候補リスト４１６中にｐがないと判定される場合には、パスｐは除去予定リスト４２０から取り除かれる（ステップ７２８）。チャンネル判定が開始され、パスｐの除去は取り消される（ステップ７３２）。そこでプロセスはステップ７１６に進み、除去予定リスト４２０中に、検討対象となるさらなるパスがあるかどうかを判定する。
【００４３】
図８を参照すると、本発明の１つの実施形態において、信号パスを除去予定リスト４２０に加えるための１つのプロセスが図解されている。最初に、ステップ８００において、ｐは除去候補リスト４２０中の第１パスに等しく設定される。ステップ８０４においてパスｐは除去予定リスト４２０に加えられる。そこで、チャンネル判定の１つの更新が実施され、チャンネル判定モジュールへのしかるべき複数の接続が有効にされる（ステップ８０８）。ステップ８１２において、除去候補リスト４２０中にさらなるパスがあるかどうか１つの判定がされる。さらなるパスがある場合には、ｐは、除去候補リスト４２０中の次の要素に等しく設定され（ステップ８１６）、プロセスはステップ８０４へ戻る。除去候補リスト４２０中にそれ以上のパスがない場合には、プロセスは調査パス・リスト４０４の更新へと進むことになる（ステップ８２０）。
【００４４】
図９を参照すると、本発明の１つの実施形態において、１つの調査パス及び／又は除去パス・リストの更新のための１つのプロセスが図解されている。一般に、このプロセスは除去予定リスト４２０が空白でない間に（すなわち、除去される複数の信号が記載されている間に）入力される（ステップ９００）。ステップ９０４において、ｓ（ｉ）は、除去予定リスト４２０中の第１要素と等しく設定される。そこで探索フィンガ２１６は、すべてのＰＮオフセットの複数の強度について、複数の調査パス中の干渉排除された信号（ｉ）を点検するよう命令される（ステップ９０８）。あるいは、その干渉除去済信号は１つの相関器列２３８に送信される。そこで、所定の閾値量より大きな１つの信号対ノイズ比改善を示すいっさいのＰＮオフセットについて、調査パス・リスト４０４が更新される（ステップ９１２）。本発明の１つの実施形態において、調査パス・リスト４０４を、いっさいの改善を示すいっさいの複数のＰＮオフセットについて更新することができる。調査パスの更新の仕方を、任意に選べることをよく理解すべきである。具体的には、１つの干渉除去済信号流が探索フィンガに送信されたときに、又は他のいくつかの手段で、調査パス・リストを更新することができる。しかしながら、他の複数の状況下で、本発明の複数の実施形態における１つの除去コントローラが動作するために調査パス・リストを更新する必要はない。
【００４５】
ステップ９１６において、更新されたいっさいのパスは除去済パス・リスト４３２に加えられる。そこで、このような複数のパスは、以前のいっさいの除去済パス（ｉ−１）リストから取り除かれる（ステップ９２０）。次に、除去予定リスト４２０中にさらなる要素があるかどうか１つの判定がされる。除去予定リスト４２０中にまだ要素が残っている場合には、ｓ（ｉ）は、除去予定リスト４２０中の次の要素に等しく設定され、プロセスはステップ９０８に戻る。除去予定リスト４２０中にこれ以上要素がない場合には、調査パス・リスト４０４を更新するためのプロセスは終了する（ステップ９３２）。
【００４６】
図１０を参照すると、本発明の１つの実施形態において、１つの除去予定リスト４２０から１つのパスを取り除くプロセスが図解されている。最初に、ステップ１０００において、除去コントローラ２３８は、除去予定リスト４２０から要素ｐを割当て解除するための１つの信号を発生させる。そこで、ステップ１００４において、除去予定リスト４２０中の対応する記入項目が消去される。要素ｐと関連する信号を経路設定しているフィンガ２２４からチャンネル判定モジュール２３２へのデータの流れは、接続が切られ、チャンネル判定モジュール２３２の状態はリセットされる（ステップ１００８）。対応する信号除去モジュール２３６は無効にされ、これもリセットされる（ステップ１０１２）。これにともない、ステップ１０１６において、複数の復調フィンガ２２４中の複数のＰＮコードは、元のすなわち未処理信号２１２と同期を取るために、進められるか又は緩徐同期される。１つのパスを除去予定リストから取り除くプロセスそこで終了する（ステップ１０２０）。
【００４７】
図１１を参照すると、本発明の１つの実施形態において、１つの復調フィンガへの信号の流れを制御するための１つのプロセスが図解されている。最初に、ステップ１１０４において、除去コントローラ２２８は、パスｐを、除去済信号フィード・リスト（ｉ）４３６に加えるための信号を出す。ステップ１１０８において、パスｐに対する復調フィンガ２２４が決定される。ステップ１１１２において、その中から信号パスｐを除去済１つの信号流は、その干渉除去済信号流の受信を（除去済信号フィード・リスト４３６に示されるように）割り当てられたフィンガへ供給される。そこで、除去済信号フィード・リスト４３６に関連する復調フィンガ２２４中のＰＮ発生器は、現在供給されている干渉除去済信号流に同期するために遅らされるか又は緩徐同期される（ステップ１１１６）。１つの復調フィンガへの信号の流れを制御するためのプロセスはこれで終了する（ステップ１１２０）。
【００４８】
当業者にとっては当然のことであるが、本発明は、干渉除去を選択的に利用するための１つの方法及び装置を提供する。具体的には、本発明は、最も良好な信号対ノイズ比を得るために、１つの復調フィンガに対して１つの干渉除去済信号流又は１つの干渉除去のない信号流のいずれかを供給することができるようにする。本発明を、何らかの既存のあるいは新規に開発された信号除去手順又はメカニズムとつなげてこのような信号除去の選択的利用のため使用できることを、さらによく理解すべきである。具体的には、１つの所望信号パスの受信上の種々の信号流の影響又は見積もり影響を検討することによって、１つの所望信号パスの１つのより良好な受信を提供する複数の未処理又は干渉除去済信号流を選択できる。特に、本発明は、干渉除去済複数の信号流の選択的利用を可能にすることによって、干渉除去済信号流の盲目的な利用の１つの結果として１つの所望信号に対し信号対ノイズ比が悪化した１つの信号を得ることを防止できる。明確には、本発明は、１つの好ましいフィード信号流を識別し、１つの復調フィンガへ供給することのできる１つの方法と装置とを提供する。
【００４９】
本明細書で提示した説明では、折に触れて、複数のスペクトル拡散システムにおける複数の携帯電話を含む複数の受信器の例を取り上げたが、本発明がこれらに限定されないことをよく理解すべきである。具体的には、本発明は、実質的に同時に複数のチャンネルを使うことのできる１つの無線リンク又はチャンネルを取り入れたいっさいの無線通信システムの要素にも応用できることをよく理解すべきである。したがって、本発明を、複数の電話又は他の複数の通信端末、もしくは複数の無線基地局又は複数のノードのような、両方の複数の携帯無線装置に使うことができる。さらに、本発明は、地上での複数の応用に限定されない。例えば、本発明を複数の衛星通信システムと関連させて使用することができる。加えて、本発明は、複数の音声通信システムに限定されない。例えば、本発明の実施形態を、全地球測位システム（ＧＰＳ）のような複数の無線位置決定システム、複数のマルチメディア通信、及び複数のデータ送信システムを含め、いっさいの多重チャンネルに応用できる。
【００５０】
前記の本発明の解説は、例証及び説明目的で提示したものである。さらにまた、その説明は、本発明を本明細書に開示した様式に限定することを意図するものでない。したがって、前記の複数の教示に相応する、関連技術の技量及び知識内での複数の変形案又は複数の修正案は本発明の範囲である。前に記載した複数の実施形態は、本発明実施の現在知られた最善のモードを説明すること、及び、当業者が、彼ら個別の本発明の応用又は使用のために必要な様々な変更とともに、前記のような又は他の複数の実施形態の中で本発明を使用できるようにすることをさらに意図している。添付の複数の請求範囲は、従来の技術で可能な程度の複数の代替実施形態を含むものと解釈するよう意図されている。
【図面の簡単な説明】
【００５１】
【図１】従来技術による１つのスペクトル拡散受信器の複数の構成要素を表した１つのブロック図である。
【図２】本発明の１つの実施形態における、１つのスペクトル拡散受信器の複数の構成要素を表した１つのブロック図である。
【図３】本発明の１つの実施形態における、１つのスペクトル拡散受信器を通る複数の信号の流れを表した１つの図である。
【図４】本発明の１つの実施形態における、１つのスペクトル拡散受信器を通る複数の信号及び情報の流れの１つの略図である。
【図５】本発明の１つの実施形態における、１つのコントローラ動作サイクルの複数の特性を図示した１つのフローチャートである。
【図６】本発明の１つの実施形態における、１つのスペクトル拡散受信器の動作の複数の作業を図示した１つのフローチャートである。
【図７】本発明の１つ実施形態における、１つの除去予定リストを更新するための１つのプロセスを図示した１つのフローチャートである。
【図８】本発明の１つの実施形態における、１つの除去予定リストに信号を追加するための１つのプロセスを図示した１つのフローチャートである。
【図９】本発明の１つの実施形態における、１つの調査パス・リストを更新するための１つのプロセスを図示した１つのフローチャートである。
【図１０】本発明の１つの実施形態における、１つの除去予定リストから１つのパスを削除するための１つのプロセスを図示した１つのフローチャートである。
【図１１】本発明の１つの実施形態における、１つの復調フィンガへの信号流を制御するための１つのプロセスを図示した１つのフローチャートである。
【図１２】本発明の１つの実施形態における、１つの除去候補リストの複数の内容を図示したものである。
【図１３】本発明の１つの実施形態における、１つの除去予定リストの複数の内容を図示したものである。
【図１４】本発明の実施形態における、除去済パス・リストの内容を図示したものである。
【図１５】本発明の１つの実施形態における、１つの除去済信号フィード・リストの複数の内容を図示したものである。
【図１】
0004444832.tif 000002
【図２】
0004444832.tif 000003
【図３】
0004444832.tif 000004
【図４】
0004444832.tif 000005
【図５】
0004444832.tif 000006
【図６】
0004444832.tif 000007
【図７】
0004444832.tif 000008
【図８】
0004444832.tif 000009
【図９】
0004444832.tif 000010
【図１０】
0004444832.tif 000011
【図１１】
0004444832.tif 000012
【図１２】
0004444832.tif 000013
【図１３】
0004444832.tif 000014
【図１４】
0004444832.tif 000015
【図１５】
0004444832.tif 000016